(57)【要約】      （修正有）【課題】ロッカカバーとシリンダヘッドとのシール面がずれても、また面圧が不均一であってもシール性や振動吸収性が減少しないロッカカバーの取付構造を提供すること。【解決手段】ロッカカバー１０の鈎状の係合部２０、２１、２２がガスケット１２の第１の係合部３２、３３、３４と係合し、シリンダヘッド１０の鈎状の係合部１５、１６、１７がガスケット１２の第２の係合部３６、３７、３８と係合しており、ロッカカバー１０、シリンダヘッド１１とガスケット１２との接触面積が大きく、かつ寸法のずれに対してシール性が向上する。【選択図】図１
2011112010.tif 000002
【特許請求の範囲】
【請求項１】
内燃機関のシリンダヘッド上にガスケットを介して取付けられるロッカカバーの取付構造において、そのシリンダヘッドの少なくとも長手方向の一辺にガスケットと係合する鈎状の係合部が設けられ、ロッカカバーのそのシリンダヘッドに対応する少なくとも一辺にガスケットと係合する鈎状の係合部が設けられ、そのガスケットは肉厚の主体部を有し、その主体部には前記ロッカカバーの係合部と係合する第１の係合部と前記シリンダヘッドの係合部と係合する第２の係合部とが一体に設けられていることを特徴とするロッカカバーの取付構造。
【請求項２】
シリンダヘッドの係合部の外壁に対しロッカカバーの係合部の立上り部分の外面との間に内外方向に長さが形成されている請求項１記載のロッカカバーの取付構造。
【請求項３】
シリンダヘッドおよびロッカカバーの長手方向の相対する２辺にそれぞれ係合部が設けられている請求項１記載のロッカカバーの取付構造。
【請求項４】
シリンダヘッドおよびロッカカバーの長手方向の相対する２辺と幅方向の一辺にそれぞれ係合部が設けられている請求項１記載のロッカカバーの取付構造。
【発明の詳細な説明】
【技術分野】
【０００１】
本発明は内燃機関のシリンダヘッド上にガスケットを介して取付けられるロッカカバーの取付構造に関する。
【背景技術】
【０００２】
周知の通り、内燃機関のピストンを収納しているシリンダブロックの上部にはシリンダヘッドが設けられ、そのシリンダヘッド上には吸気弁および排気弁を開閉するためのロッカアームを覆っているロッカカバーが取付けられている。
【０００３】
このロッカカバー内にはブロバイガス等の排気が流入し、また潤滑オイルが飛散するので、シリンダヘッドに対して充分にシールして取付けなければならない。すなわちシール性が不充分であると、排ガスやオイルが漏洩してしまう。
【０００４】
そのために、シリンダヘッドとロッカカバーとの取付けに際して両者のシール面間を確実にシールする技術が知られている（特許文献１および２参照）。
【０００５】
図５は従来技術の一例を示し、シリンダヘッド１とロッカカバーのフランジ２との間にガスケット３が介在され、そのガスケット３の内外両側にはガスケット３がフランジ２に対して相対的に移動するのを防止する抑え板６、７が設けられ、位置決め用の座金４および締付け用の座金５を介してボルト８で締付けられている。
【０００６】
また図６に示されているようにシリンダヘッド１の内側縁部に断面Ｌ字状のガスケット２ａを設け、ロッカカバー２には抑え部６ａ、７ａを設けボルト８で締付け固定したものも知られている。
このようにガスケット２ａに対する接触面積を広くすると、当然のことながらシール性が向上する。
【０００７】
しかしながら、内燃機関の大型化や圧力、温度上昇に伴い、シリンダブロックとロッカカバーとのシール面が設計上の所定の位置から動いてしまい、そのためにシール面積が減少し、締付けボルトから離れた位置では締付け力が低下するので、全体的に面圧が不均一となり、その結果、ガス漏れが生じやすい。また内燃機関の振動は面圧の低下を助長するので、好ましくない。
【先行技術文献】
【特許文献】
【０００８】
【特許文献１】特開２００２−６１５３９号公報
【特許文献２】特許第４２４８３０９号公報
【発明の概要】
【発明が解決しようとする課題】
【０００９】
したがって、本発明の目的は、シリンダヘッドに対してロッカカバーが移動して、その両者のシール面がずれても振動吸収性やシール性が減少することのないロッカカバーの取付構造を提供するにある。
【００１０】
本発明の他の目的は、シール面の面圧が不均一であってもシール性や振動吸収性が減少することがないロッカカバーの取付構造を提供するにある。
【課題を解決するための手段】
【００１１】
本発明によれば、内燃機関のシリンダヘッド（１０）上にガスケット（１２、１２Ａ）を介して取付けられるロッカカバーの取付構造において、そのシリンダヘッド（１０）の少なくとも長手方向の一辺（Ｘ）にガスケット（１２）と係合する鈎状の係合部（１５、１６、１７）が設けられ、ロッカカバー（１１）のそのシリンダヘッドに対応する少なくとも一辺（Ｘ）にガスケットと係合する鈎状の係合部（２０、２１、２２）が設けられ、そのガスケット（１２）は肉厚の主体部（３０）を有し、その主体部（３０）には前記ロッカカバーの係合部と係合する第１の係合部（２２、２３、２４）と前記シリンダヘッドの係合部と係合する第２の係合部（３６、３７、３８）とが一体に設けられている。
【００１２】
また本発明によれば、シリンダヘッドの係合部の外壁（１３）に対しロッカカバーの係合部の立上り部分（２２）の外面（２３）との間に内外方向に長さ（δ）が形成されている。
【００１３】
そして本発明によれば、シリンダヘッド（１０）およびロッカカバー（１１）の長手方向の相対する２辺（Ｘ、Ｙ）にそれぞれ係合部が設けられている。
【００１４】
さらに本発明によれば、シリンダヘッド（１０）およびロッカカバー（１１）の長手方向の相対する２辺（Ｘ、Ｙ）と幅方向の一辺（Ｖ）にそれぞれ係合部が設けられている。
【発明の効果】
【００１５】
本発明によれば下記のすぐれた効果を奏する。
（ａ）  鈎状の係合部でロッカカバーおよびシリンダヘッドがガスケットと係合しているので、ガスケットの弾性作用と組合されてシール面積が広くなり、シール性が向上する。
（ｂ）  シリンダヘッドとロッカカバーとのシール面の上下左右の相対的な移動に対して鈎状の係合部が追従でき、シール性を損うことがない。したがってロッカカバーとシリンダヘッドとが整合しなくてもよく組立てが容易でレイアウトに余裕ができる。
（ｃ）  鈎状の係合部がそれ自体固定機能を有しているので、締付けボルトを省略でき、組立作業が工程を減少させることができる。
【図面の簡単な説明】
【００１６】
【図１】本発明を実施したロッカカバーの取付構造の要部を示す断面図。
【図２】本発明を実施したシリンダヘッドにロッカカバーを取付けた所を示す斜視図。
【図３】図２を辺Ｖ方向から見た斜視図。
【図４】図１の変形例を示す断面図。
【図５】従来のロッカカバーの取付構造を示す断面図。
【図６】従来のロッカカバーの別の取付構造を示す断面図。
【発明を実施するための形態】
【００１７】
以下図面を参照して本発明の実施例を説明する。
図１はシリンダヘッド１０とロッカカバー１１とガスケット１２との取付け位置関係を示す断面図であり、図面の左側Ａは内側であり右側Ｂは外側である。
【００１８】
シリンダヘッド１０の外壁１３に沿って一体に上方に延びるシリンダヘッドの取付部１４は上方に延びる第１の部分１５と、その第１の部分１５の上端から内方に（内側Ａに向って）延びる第２の部分１６とその第２の部分１６の内端から下方に延びる第３の部分（１７）とで鈎状に形成されており、この第１の部分１５と第２の部分１６と第３の部分１７とはシリンダヘッドの係合部を構成している。
【００１９】
図示の例ではシリンダヘッド１０の取付部１４はシリンダヘッド１０の頂部の縁部に直接に一体に設けられているが、シリンダヘッドの設計によっては、シリンダヘッド１０の外壁１３と一体に上方に延びる延長部を設け、その延長部の上端に取付部１４を設けることができる。また設計によってはその延長部や取付部は外側１３より内側に設けてもよい。
【００２０】
ロッカカバー１０の下端に設けたロッカカバーの取付部２０は外方に（外側Ｂに向かって）延びる水平部分２１とその水平部分２１の外端から上方に延びる立上り部分２２とより成り、全体的に鈎状に形成されている。このロッカカバーの取付部２０の下部と水平部分２１と立上り部分２２とはロッカカバー１０の係合部を形成している。
【００２１】
ガスケット１２は前記シリンダヘッド１０の第２の部分１６の上面に載置され、肉厚の主体部３０を備え、その上面には傾斜部３１が形成されている。そしてガスケットにはこの主体部３０から上方に延びる上方部分３２と、その上方部分３２から内側Ａに向って内方に延びる第１の水平部分３３と、その第１の水平部分３３から下方に延びる垂下部分３４とを備え、主体部３０と一体に形成された上方部分３２と第１の水平部分３３と垂下部分３４とはロッカカバー１０の係合部と係合するガスケットの第１の係合部を構成している。
【００２２】
そしてガスケット１２の主体部３０の下面には、一体に形成された水平方向内方に延びる第２の水平部分３５と、その第２の水平部分が下方に延びる垂直部分３６と、その垂直部分３６から水平方向外方に延びる第３の水平部分３７と、その第３の水平部分３７から上方に延びる突出部分３８とを備え、それらの垂直部分３６と第３の水平部分３７と突出部分３８とはシリンダヘッド１０の係合部と係合するガスケット１２の第２の係合部を構成している。
【００２３】
したがって、図１に示すようにロッカカバー１１の係合部にガスケット１２の第１の係合部を係合させ、そしてシリンダヘッド１０の係合部にガスケット１２の第２の係合部を係合させることにより、シリンダヘッド１０に対してロッカカバー１１を固定できる。また各係合部のシール面積が広くなり、その分シール性を向上できる。
また、シリンダヘッドの係合部の外壁面１３とロッカカバー１１の立上り部分２２の外面２３との間に内外方向に長さδがあっても充分にシールでき、振動を吸収しやすい。
【００２４】
またガスケット１２の主体部３０が肉厚であるために充分な剛性を持たせることができる。さらに、ロッカカバーとシリンダヘッドとの上下方向および左右方向の相対変位を充分に吸収できる。そして脱落の問題も生じない。
【００２５】
図２は本発明を実施したガスケットを用いてシリンダヘッド１０にロッカカバー１１を取付けた所を示す斜視図であり、図３は図２を幅方向の短辺Ｖから見た部分斜視図である。
図２に示すように長手方向の長辺ＸおよびＹと、幅方向の短辺Ｕとの３辺が本発明を実施したガスケット１２で固定されており、残りの短辺Ｖのみが公知のガスケットＧを用い、ロッカカバー１１に設けたフランジＦを公知の態様でボルトＣで固定した例である。
【００２６】
しかしながら、本発明を実施したガスケット１２は少なくとも長辺Ｘ又はＹのいずれか一方のみに実施することができ、また、長辺ＸおよびＹの両方にガスケット１２を用いることができる。本発明を実施したガスケット１２を用いない辺は公知の平板状のガスケットＧを適用すればよい。いずれの場合も本願の効果を奏することができる。
【００２７】
図４は本発明を実施したガスケット１２Ａの変形例である。この変形例のガスケット１２Ａは図１の寸法δが零の場合である。この変形例では実質的に図１の場合と同様な構成および作用効果を奏するものである。
【符号の説明】
【００２８】
１０‥‥シリンダヘッド
１１‥‥ロッカカバー
１２‥‥ガスケット
１３‥‥外壁
１４‥‥シリンダヘッドの取付部
１５‥‥第１の部分
１６‥‥第２の部分
１７‥‥第３の部分
２０‥‥ロッカカバーの取付部
２１‥‥水平部分
２２‥‥立上り部分
３０‥‥主体部
３１‥‥傾斜部
３２‥‥上方部分
３３‥‥第１の水平部分
３４‥‥垂下部分
３５‥‥第２の水平部分
３６‥‥垂直部分
３７‥‥第３の水平部分
３８‥‥突出部分
Ａ‥‥内側
Ｂ‥‥外側
Ｃ‥‥ボルト
Ｆ‥‥フランジ
Ｇ‥‥ガスケット（従来）
Ｘ、Ｙ‥‥長手方向の辺
Ｕ、Ｖ‥‥幅方向の辺
【図１】
2011112010.tif 000003
【図２】
2011112010.tif 000004
【図３】
2011112010.tif 000005
【図４】
2011112010.tif 000006
【図５】
2011112010.tif 000007
【図６】
2011112010.tif 000008